(57)【要約】【課題】商品貼付用の販促シール体として使用することができ、かつ、商品購入者が皮膚表面に貼付して使用することができるシール体、また、このシール体を複数有するシール連続体を提供する。【解決手段】シール体１は、被着物に貼付される下層シール部２と、下層シール部２の表面に積層された中間層３と、中間層３の表面に積層された上層シール部４と、を有している。上層シール部４は、表面基材４１と、表面基材４１の裏面に形成された粘着剤層４２と、を有している。上層シール部４の粘着剤層４２は、ヒト皮膚一次刺激性試験に合格する材料より形成されている。シール体１において、上層シール部４は、中間層３の表面から剥離可能とされている。【選択図】図２
2019061069.tif 000002
【特許請求の範囲】
【請求項１】
被着物に貼付される下層シール部と、
上記下層シール部の表面に積層された中間層と、
上記中間層の表面に積層された上層シール部と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部が上記中間層の表面から剥離可能とされている、シール体。
【請求項２】
上記上層シール部の表面基材は、ポリオレフィンより構成されており、
上記上層シール部の粘着剤層は、アクリル系粘着剤より構成されている、請求項１に記載のシール体。
【請求項３】
上記中間層は、中間基材と、上記中間基材の表面に形成されたシリコーン層と、上記中間基材の裏面に形成された粘着剤層と、を有している、請求項１または２に記載にシール体。
【請求項４】
上記中間層が、透明性を有する、請求項１〜３のいずれか１項に記載のシール体。
【請求項５】
上記上層シール部の表面基材は、基材表面に印刷部を有する、請求項１〜４のいずれか１項に記載のシール体。
【請求項６】
上記下層シール部は、下層基材と、上記下層基材の裏面に形成された粘着剤層と、を有している、請求項１〜５のいずれか１項に記載のシール体。
【請求項７】
上記下層シール部の下層基材は、基材表面に印刷部を有する、請求項６に記載のシール体。
【請求項８】
上記上層シール部は、当該上層シール部を、第１の領域および第２の領域の少なくとも２つの領域に分離する切り込み部を有する、請求項１〜７のいずれか１項に記載のシール体。
【請求項９】
セパレータと、
上記セパレータの一方面に貼り付けられた、複数の請求項１〜８のいずれか１項に記載のシール体と、
を有する、シール連続体。
【発明の詳細な説明】
【技術分野】
【０００１】
本発明は、シール体およびシール連続体に関する。
【背景技術】
【０００２】
従来、被着物に貼付されるシール体（本明細書中、「シール」は、「ラベル」、「ステッカー」を含むものとする）として、裏面に粘着剤層が形成された基材の表面に各種印刷による印刷部を有するシール体が公知である。また、この種のシール体がセパレータの表面に複数貼り付けられたシール連続体も公知である。
【０００３】
なお、先行する特許文献１には、表面側から順に、第１基材と、剥離層と、粘着剤層と、第２基材と、を有し、第２基材には、第２基材を第１領域および第２領域の少なくとも２つの領域に分離する切込み線が形成されており、切込み線で分離された領域のうち、シールとなる第１領域の裏面に剥離処理が施されている、シール付きラベルが記載されている。
【先行技術文献】
【特許文献】
【０００４】
【特許文献１】特開２０１４−１９４４４８号公報
【発明の概要】
【発明が解決しようとする課題】
【０００５】
上述したシール体は、例えば、被着物としての商品の販売促進を図るなどのために、各種の文字や図柄が印刷され、商品表面や包装などに貼付されることがある。また、例えば、商品購入者に対するノベルティグッズとして、袋に入れられたシール体が商品に添付されることもある。
【０００６】
ところで、近年、フェイスシールやボディシール等、人が皮膚表面にシール体を直接貼付する機運が高まってきている。しかしながら、この種の皮膚に貼付可能なシール体を、商品購入者に対するノベルティグッズとしつつ、商品販促用のシール体を商品に貼付するためには、次の課題がある。
【０００７】
すなわち、従来の手法によると、ノベルティグッズとしての袋入りシール体と、商品貼付用の販促シール体との２つを準備することが必要となる。そのため、２つのシール体によるコストの増加や、２つのシール体を別々に商品や包装につける手間の増加などにより、現実には、いずれか一方のシール体しか採用することが難しい。特に、商品が食品や日用品等の場合には、商品が耐久消費財の場合に比べて売価が比較的安いため、商品貼付用の販促シール体のみが採用されるのが通常である。そして、商品に貼付された販促シール体は、一般には、商品購入者によって廃棄されている。このように、従来のシール体は、商品の付加価値を向上させることが難しい。
【０００８】
本発明は、かかる課題に鑑みてなされたものであり、商品貼付用の販促シール体として使用することができ、かつ、商品購入者が皮膚表面に貼付して使用することができるシール体、また、このシール体を複数有するシール連続体を提供しようとするものである。
【課題を解決するための手段】
【０００９】
本発明の一態様は、被着物に貼付される下層シール部と、
上記下層シール部の表面に積層された中間層と、
上記中間層の表面に積層された上層シール部と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部が上記中間層の表面から剥離可能とされている、シール体にある。
【００１０】
本発明の他の態様は、セパレータと、
上記セパレータの一方面に貼り付けられた、複数の上記シール体と、
を有する、シール連続体にある。
【発明の効果】
【００１１】
上記シール体は、上記構成を有している。そのため、上記シール体は、例えば、次のようにして使用することができる。被着物としての商品に上記シール体の下層シール部を貼付する。これにより、上記シール体全体が商品に貼付されるため、上記シール体を、商品貼付用の販促シール体として使用することができる。次いで、この上記シール体が貼付された商品が商品購入者により購入された後、上記シール体の上層シール部は、商品購入者によって中間層の表面から剥離される。この際、上記シール体の下層シール部および中間層は、被着物としての商品に貼付されたまま残る。剥離された上層シール部は、表面基材と、表面基材の裏面に形成された粘着剤層とを有している。ここで、上層シール部の粘着剤層は、ヒト皮膚一次刺激性試験に合格する材料より形成されている。そのため、商品購入者は、剥離した上層シール部を、顔や体などにおける皮膚表面に貼付して使用することができる。
【００１２】
このように、上記シール体は、商品貼付用の販促シール体として使用可能、かつ、商品購入者が皮膚表面に貼付して使用可能であり、２つの用途を同時に実現することができる。よって、上記シール体によれば、商品の付加価値を向上させることができる。
【００１３】
また、上記シール連続体は、上記構成を有している。そのため、上記シール連続体によれば、複数の上記シール体を順次セパレータから剥離し、連続的に複数の被着物へ貼付することが可能となる。
【図面の簡単な説明】
【００１４】
【図１】実施形態１のシール体を模式的に示した平面図（上面図）である。
【図２】図１におけるＩＩ−ＩＩ線矢視断面を模式的に示した断面図である。
【図３】実施形態２のシール連続体を模式的に示した説明図である。
【図４】実施形態３のシール連続体を模式的に示した説明図である。
【発明を実施するための形態】
【００１５】
（実施形態１）
実施形態１のシール体について、図１および図２を用いて説明する。図１および図２に例示されるように、本実施形態のシール体１は、下層シール部２と、中間層３と、上層シール部４と、を有しており、上層シール部４は、中間層３の表面から剥離可能とされている。なお、以下では、シール体１における各部位の表裏は、被着物（不図示）側の面を裏面、その反対側の面をおもて面として説明する。
【００１６】
下層シール部２は、シール体１の使用時に、被着物に貼付される部位である。なお、被着物には、商品や商品の包装などが含まれる。下層シール部２は、具体的には、下層基材２１と、下層基材２１の裏面に形成された粘着剤層２２と、を有する構成とすることができる。この構成によれば、下層シール部２の粘着剤層２２によって被着物へ貼付されるシール体１が得られる。また、この構成によれば、下層シール部２の下層基材２１の基材表面に、文字や図柄、絵柄等の印刷部２３を形成することができる。下層基材２１の基材表面に印刷部２３を有する場合には、被着物としての商品の販促用文章や図柄、上層シール部４の使用方法、注意書き等、各種の情報を印刷することができる。
【００１７】
下層シール部２の下層基材２１は、例えば、塗工紙等の紙類などより構成することができる。また、下層シール部２の粘着剤層２１は、例えば、エマルジョン型のアクリル系粘着剤などより構成することができる。下層シール部２の下層基材２１の厚みは、例えば、５０μｍ〜１５０μｍ程度とすることができる。また、下層シール部２の粘着剤層２１の厚みは、例えば、１０μｍ〜５０μｍ程度とすることができる。本実施形態では、下層シール部２として、例えば、リンテック社製  「ＬＶＯＣ  ２６１７」、「グロスＭＨＲ  ８Ｋ」などを用いることができる。
【００１８】
中間層３は、下層シール部２の表面に積層されている。中間層３は、下層シール部２から容易に剥離されないように一体化されているとよい。中間層３は、具体的には、中間基材３１と、中間基材３１の表面に形成されたシリコーン層３３と、中間基材３１の裏面に形成された粘着剤層３２と、を有する構成とすることができる。この構成によれば、シリコーン層３３の表面が中間層３の最表面となり、中間層３の最表面に剥離性（離型性）が付与される。そのため、この構成によれば、中間層３の表面からの上層シール部４の剥離を確実なものとすることができる。本実施形態は、この構成により、上層シール部４が中間層３の表面から剥離可能とされている例である。また、上記構成によれば、中間層３の粘着剤層３２によって下層シール部２への積層が確実なものとなる。
【００１９】
中間層３の中間基材３１は、例えば、ポリエステル等の樹脂などより構成することができる。これらは１種または２種以上併用することができる。ポリエステルとしては、具体的には、ポリエチレンテレフタレートなどが挙げられる。また、中間層３の粘着剤層３２は、例えば、溶剤型のアクリル系粘着剤などより構成することができる。中間層３の中間基材３１の厚みは、例えば、１５μｍ〜５０μｍ程度とすることができる。また、中間層３の粘着剤層３２の厚みは、例えば、５μｍ〜３０μｍ程度とすることができる。
【００２０】
中間層３は、透明性を有しているとよい。この構成によれば、中間層３の表面から上層シール部４を剥離した際に、中間層３よりも下方に位置する下層シール部２の表面が透けて見える。そのため、例えば、下層シール部２の表面に印刷を行った際に、この印刷部２３を、中間層３を介して視認することが可能となる。そのため、この構成によれば、シール体１の機能性を向上させることができる。
【００２１】
本実施形態では、中間層３として、例えば、マルウ接着社製  「シリコンラミ  ラミ用  白ＧＳ」などを用いることができる。なお、マルウ接着社製  「シリコンラミ  ラミ用  白ＧＳ」は、透明性を有している。中間層３は、例えば、ラミネート加工することにより、下層シール部２の表面に積層することができる。
【００２２】
上層シール部４は、シール体１が被着物に貼付された後、被着物に貼付されたシール体１から剥離され、人の皮膚に貼付されて使用可能な部位である。上層シール部４は、中間層３の表面に積層されている。上層シール部４は、表面基材４１と、表面基材４１の裏面に形成された粘着剤層４２と、を有している。ここで、上層シール部４の粘着剤層４２は、ヒト皮膚一次刺激性試験に合格する材料より形成されている。
【００２３】
なお、本実施形態では、上層シール部４の全体が、ヒト皮膚一次刺激性試験に合格する材料より形成されている。つまり、上層シール部４の粘着剤層４２だけでなく、上層シール部４の表面基材４１も、ヒト皮膚一次刺激性試験に合格する材料より形成されている。この構成によれば、上層シール部４を人の皮膚表面に貼付する使用形態を確実なものとすることができる。上層シール部４は、例えば、フェイスシール、ボディシール等として使用することができる。なお、上記にいうヒト皮膚一次刺激性試験（パッチテスト）は、社団法人  日本毛髪科学協会に委託して実施することができる。
【００２４】
上層シール部４の表面基材４１は、例えば、ポリオレフィン等の樹脂などより構成することができる。これらは１種または２種以上併用することができる。ポリオレフィンとしては、具体的には、例えば、エチレン・１−ヘキセン共重合体、エチレンホモポリマーなどが挙げられる。これらは１種または２種以上併用することができる。なお、上層シール部４の表面基材４１は、他にも、二酸化チタン、ステアリン酸亜鉛、酸化アルミニウムなどの添加剤を１種または２種以上含むことができる。また、上層シール部４の粘着剤層４２は、例えば、アクリル系粘着剤などより構成することができる。アクリル系粘着剤としては、皮膚に適用した際に、汗等による耐性を確保しやすいなどの観点から、溶剤型のものを好適に用いることができる。上層シール部４の表面基材４１がポリオレフィンより構成されており、上層シール部４の粘着剤層４２がアクリル系粘着剤より構成されている場合には、ヒト皮膚一次刺激性試験に合格するように構成しやすい利点がある。なお、上層シール部４の表面基材４１および粘着剤層４２の材料としては、具体的には、絆創膏の基材材料および絆創膏の粘着剤層材料などを使用することができる。絆創膏は、人の皮膚に貼って使用されるものであるため、絆創膏の基材材料および絆創膏の粘着剤層材料は、ヒト皮膚一次刺激性試験に合格することができる。本実施形態では、上層シール部４として、例えば、王子タック社製  「ＰＯＷ８０／Ｐ３Ｘ／Ｌ６Ｗ」などを用いることができる。なお、上記ＰＯＷ８０／Ｐ３Ｘ／Ｌ６Ｗは、社団法人  日本毛髪科学協会によるヒト皮膚一次刺激性試験としての医薬部外品のヒト皮膚に対するパッチテストの結果、健常人に皮膚に対する刺激性が認められない材料であり、ヒト皮膚一次刺激性試験に合格した材料である。
【００２５】
上層シール部４は、例えば、ラミネート加工することにより、中間層３の表面に積層することができる。上層シール部４の表面基材４１の厚みは、例えば、５０μｍ〜１５０μｍ程度とすることができる。また、上層シール部４の粘着剤層４２の厚みは、例えば１０μｍ〜５０μｍ程度とすることができる。
【００２６】
上層シール部４の表面基材４１は、基材表面に印刷部４３を有することができる。この構成によれば、上層シール部４のデザイン性を向上させることができ、上層シール部４を、例えば、フェイスシール、ボディシール等として使用しやすくなる。なお、図１では、上層シール部４の表面基材４１に形成された印刷部４３は、省略されている。
【００２７】
上層シール部４は、当該上層シール部４を、第１の領域４０１および第２の領域４０２の少なくとも２つの領域に分離する切り込み部４０３を有する構成とすることができる。この構成によれば、切り込み部４０３を境にして、第１の領域４０１または第２の領域４０２を中間層３から剥離することができる。そのため、例えば、図１に例示されるように、第１の領域４０１の外周に第２の領域４０２を配置し、第１の領域４０１に文字や図柄、絵柄等の印刷部４３（図１では不図示）を形成しておくことにより、この第１の領域４０１を、フェイスシール、ボディシール等として使用することが可能となる。なお、切り込み部４０３は、例えば、打ち抜き加工（トムソン加工）などにより形成することができる。
【００２８】
なお、シール体１の全体の厚みは、例えば、１４０μｍ〜４８０μｍ程度とすることができる。
【００２９】
本実施形態のシール体１は、上記構成を有している。そのため、シール体１は、例えば、次のようにして使用することができる。被着物としての商品にシール体１の下層シール部２を貼付する。これにより、シール体１全体が商品に貼付されるため、シール体１を、商品貼付用の販促シール体として使用することができる。次いで、このシール体１が貼付された商品が商品購入者により購入された後、シール体１の上層シール部４は、商品購入者によって中間層３の表面から剥離される。この際、シール体１の下層シール部２および中間層３は、被着物としての商品に貼付されたまま残る。剥離された上層シール部４は、表面基材４１と、表面基材４１の裏面に形成された粘着剤層４２とを有している。ここで、上層シール部４の粘着剤層４２は、ヒト皮膚一次刺激性試験に合格する材料より形成されている。そのため、商品購入者は、剥離した上層シール部４を、顔や体などにおける皮膚表面に貼付して使用することができる。
【００３０】
このように、シール体１は、商品貼付用の販促シール体として使用可能、かつ、商品購入者が皮膚表面に貼付して使用可能であり、２つの用途を同時に実現することができる。よって、シール体１によれば、商品の付加価値を向上させることができる。
【００３１】
（実施形態２）
実施形態２のシール連続体について、図３を用いて説明する。
【００３２】
図３に例示されるように、本実施形態のシール連続体５は、セパレータ５１と、セパレータ５１の一方面に貼り付けられた、複数のシール体１と、を有している。本実施形態では、シール体１として、実施形態１のシール体１が用いられる。
【００３３】
本実施形態では、セパレータ５１は、ロール状に形成されている。そして、複数のシール体１は、ロール状のセパレータ５１の表面上に、互いに離間した状態で等間隔に並んで貼り付けられている。貼り付け部位は、具体的には、下層シール部２の粘着剤層２２である。セパレータ５１の材料としては、例えば、グラシン紙などを例示することができる。
【００３４】
本実施形態のシール連続体５は、上記構成を有している。そのため、シール連続体５によれば、複数のシール体１を順次セパレータ５１から剥離し、連続的に複数の被着物へ貼付することが可能となる。
【００３５】
（実施形態３）
実施形態３のシール連続体について、図４を用いて説明する。
【００３６】
図４に例示されるように、本実施形態のシール連続体５は、セパレータ５１が、シート状に形成されている。そして、複数のシール体１は、シート状のセパレータ５１の表面上に、互いに離間した状態で等間隔に並んで貼り付けられている。その他の構成は、実施形態２と同様である。
【００３７】
本実施形態のシール連続体５によっても、複数のシール体１を順次セパレータ５１から剥離し、連続的に複数の被着物へ貼付することが可能となる。
【００３８】
（実験例）
凸版間欠式輪転印刷機を用い、複数のシール体を有するシール連続体を作製した。
材料として、ロール状の下記材料を準備した。
−下層シール部材料−
リンテック社製  「ＬＶＯＣ  ２６１７」
「ＬＶＯＣ  ２６１７」は、セパレータ／粘着剤／基材の積層構造を有している。セパレータは、グラシン紙、粘着剤は、エマルジョン型のアクリル系粘着剤、基材は、塗工紙（厚み８９μｍ）よりなる。
−中間層材料−
マルウ接着社製  「シリコンラミ  ラミ用  白ＧＳ」（透明）
「シリコンラミ  ラミ用  白ＧＳ」は、セパレータ／粘着剤／基材／シリコーン層の積層構造を有している。セパレータは、ポリラミグラシン、粘着剤は、溶剤型のアクリル系粘着剤、基材は、ポリエチレンテレフタレート（厚み２５μｍ）よりなる。なお、シリコーン層は、基材表面にシリコーン処理が施されて形成されたものである。
−上層シール部材料−
王子タック社製  「ＰＯＷ８０／Ｐ３Ｘ／Ｌ６Ｗ」
「ＰＯＷ８０／Ｐ３Ｘ／Ｌ６Ｗ」は、セパレータ／粘着剤／基材の積層構造を有している。セパレータは、ポリラミ上質紙、粘着剤は、溶剤型のアクリル系粘着剤、基材は、ポリオレフィン（厚み８０μｍ、白色）よりなる。なお、「ＰＯＷ８０／Ｐ３Ｘ／Ｌ６Ｗ」は、ヒト皮膚一次刺激性試験に合格した材料である。
−印刷用インク−
ＤＩＣグラフィックス社製、「ダイキュアＭＡＲシリーズ」
なお、「ダイキュアＭＡＲシリーズ」では、皮膚刺激性（ＰＩＩ）が２．０より大きいモノマーは使用されていない。
【００３９】
下層シール部材料の基材表面に、印刷用インク（墨１ｃ）にて所定の印刷部を印刷した。そして、この印刷部が形成された下層シール部材料の基材表面に、セパレータを剥離した中間層材料をラミネート加工した。次いで、上記ラミネートされた中間層の基材表面に、セパレータを剥離した上層シール部材料をラミネート加工した。これにより、ロール状のシール原反を作製した。
【００４０】
次いで、作製したシール原反における上層シール部材料の基材表面に、印刷用インク（プロセス４ｃ）にて所定の印刷部を印刷した。そして、打ち抜き加工後、カス上げを行い、巻き取った。これにより、印刷部付きのシール原反を作製した。
【００４１】
次いで、作製した印刷部付きのシール原反をスリット加工し、ロール状に形成することで、ロール状のシール連続体を得た。また、同様にして、作製した印刷部付きのシール原反を断裁機にてカット加工し、シート状に形成することで、シート状のシール連続体を得た。
【００４２】
本発明は、上記各実施形態、各実験例に限定されるものではなく、その要旨を逸脱しない範囲において種々の変更が可能である。
【符号の説明】
【００４３】
１  シール体
２  下層シール部
３  中間層
４  上層シール部
４１  表面基材
４２  粘着剤層
５  シール連続体
５１  セパレータ
【図１】
2019061069.tif 000003
【図２】
2019061069.tif 000004
【図３】
2019061069.tif 000005
【図４】
2019061069.tif 000006
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
被着物に貼付される下層シール部と、
上記下層シール部の表面に積層された中間層と、
上記中間層の表面に積層された上層シール部と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部は、当該上層シール部を、第１の領域および第２の領域の少なくとも２つの領域に分離する切り込み部を有しており、
上記上層シール部が上記中間層の表面から剥離可能とされている、シール体。
【請求項２】
上記上層シール部の表面基材は、ポリオレフィンより構成されており、
上記上層シール部の粘着剤層は、アクリル系粘着剤より構成されている、請求項１に記載のシール体。
【請求項３】
上記中間層は、中間基材と、上記中間基材の表面に形成されたシリコーン層と、上記中間基材の裏面に形成された粘着剤層と、を有している、請求項１または２に記載にシール体。
【請求項４】
上記中間層が、透明性を有する、請求項１〜３のいずれか１項に記載のシール体。
【請求項５】
上記上層シール部の表面基材は、基材表面に印刷部を有する、請求項１〜４のいずれか１項に記載のシール体。
【請求項６】
上記下層シール部は、下層基材と、上記下層基材の裏面に形成された粘着剤層と、を有している、請求項１〜５のいずれか１項に記載のシール体。
【請求項７】
上記下層シール部の下層基材は、基材表面に印刷部を有する、請求項６に記載のシール体。
【請求項８】
上記上層シール部の表面基材は、ヒト皮膚一次刺激性試験に合格する材料より形成されている、請求項１〜７のいずれか１項に記載のシール体。
【請求項９】
セパレータと、
上記セパレータの一方面に貼り付けられた、複数の請求項１〜８のいずれか１項に記載のシール体と、
を有する、シール連続体。
【手続補正２】
【補正対象書類名】明細書
【補正対象項目名】０００９
【補正方法】変更
【補正の内容】
【０００９】
本発明の一態様は、被着物に貼付される下層シール部と、
上記下層シール部の表面に積層された中間層と、
上記中間層の表面に積層された上層シール部と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部は、当該上層シール部を、第１の領域および第２の領域の少なくとも２つの領域に分離する切り込み部を有しており、
上記上層シール部が上記中間層の表面から剥離可能とされている、シール体にある。
【手続補正３】
【補正対象書類名】明細書
【補正対象項目名】００２７
【補正方法】変更
【補正の内容】
【００２７】
上層シール部４は、当該上層シール部４を、第１の領域４０１および第２の領域４０２の少なくとも２つの領域に分離する切り込み部４０３を有している。この構成によれば、切り込み部４０３を境にして、第１の領域４０１または第２の領域４０２を中間層３から剥離することができる。そのため、例えば、図１に例示されるように、第１の領域４０１の外周に第２の領域４０２を配置し、第１の領域４０１に文字や図柄、絵柄等の印刷部４３（図１では不図示）を形成しておくことにより、この第１の領域４０１を、フェイスシール、ボディシール等として使用することが可能となる。なお、切り込み部４０３は、例えば、打ち抜き加工（トムソン加工）などにより形成することができる。
【手続補正書】
【提出日】平成30年3月21日(2018.3.21)
【手続補正１】
【補正対象書類名】特許請求の範囲
【補正対象項目名】全文
【補正方法】変更
【補正の内容】
【特許請求の範囲】
【請求項１】
被着物に貼付される下層シール部と、
上記下層シール部の表面に積層された中間層と、
上記中間層の表面に積層された上層シール部と、を有しており、
上記中間層は、中間基材と、上記中間基材の表面に形成されたシリコーン層と、上記中間基材の裏面に形成された粘着剤層と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部は、当該上層シール部を、第１の領域および第２の領域の少なくとも２つの領域に分離する切り込み部を有しており、
上記上層シール部が上記中間層の表面から剥離可能とされている、シール体。
【請求項２】
上記上層シール部の表面基材は、ポリオレフィンより構成されており、
上記上層シール部の粘着剤層は、アクリル系粘着剤より構成されている、請求項１に記載のシール体。
【請求項３】
上記中間層が、透明性を有する、請求項１または２に記載のシール体。
【請求項４】
上記上層シール部の表面基材は、基材表面に印刷部を有する、請求項１〜３のいずれか１項に記載のシール体。
【請求項５】
上記下層シール部は、下層基材と、上記下層基材の裏面に形成された粘着剤層と、を有している、請求項１〜４のいずれか１項に記載のシール体。
【請求項６】
上記下層シール部の下層基材は、基材表面に印刷部を有する、請求項５に記載のシール体。
【請求項７】
上記上層シール部の表面基材は、ヒト皮膚一次刺激性試験に合格する材料より形成されている、請求項１〜６のいずれか１項に記載のシール体。
【請求項８】
上記上層シール部の表面基材は、絆創膏の基材材料より形成されており、
上記上層シール部の粘着剤層は、絆創膏の粘着剤層材料より形成されている、請求項１〜７のいずれか１項に記載のシール体。
【請求項９】
セパレータと、
上記セパレータの一方面に貼り付けられた、複数の請求項１〜８のいずれか１項に記載のシール体と、
を有する、シール連続体。
【手続補正２】
【補正対象書類名】明細書
【補正対象項目名】０００９
【補正方法】変更
【補正の内容】
【０００９】
本発明の一態様は、被着物に貼付される下層シール部と、
上記下層シール部の表面に積層された中間層と、
上記中間層の表面に積層された上層シール部と、を有しており、
上記中間層は、中間基材と、上記中間基材の表面に形成されたシリコーン層と、上記中間基材の裏面に形成された粘着剤層と、を有しており、
上記上層シール部は、表面基材と、上記表面基材の裏面に形成された粘着剤層と、を有しており、かつ、上記粘着剤層は、ヒト皮膚一次刺激性試験に合格する材料より形成されており、
上記上層シール部は、当該上層シール部を、第１の領域および第２の領域の少なくとも２つの領域に分離する切り込み部を有しており、
上記上層シール部が上記中間層の表面から剥離可能とされている、シール体にある。
【手続補正３】
【補正対象書類名】明細書
【補正対象項目名】００１８
【補正方法】変更
【補正の内容】
【００１８】
中間層３は、下層シール部２の表面に積層されている。中間層３は、下層シール部２から容易に剥離されないように一体化されているとよい。中間層３は、具体的には、中間基材３１と、中間基材３１の表面に形成されたシリコーン層３３と、中間基材３１の裏面に形成された粘着剤層３２と、を有している。この構成によれば、シリコーン層３３の表面が中間層３の最表面となり、中間層３の最表面に剥離性（離型性）が付与される。そのため、この構成によれば、中間層３の表面からの上層シール部４の剥離を確実なものとすることができる。本実施形態は、この構成により、上層シール部４が中間層３の表面から剥離可能とされている例である。また、上記構成によれば、中間層３の粘着剤層３２によって下層シール部２への積層が確実なものとなる。